(57)【要約】      （修正有）【課題】ＲＬＣレイヤ機能が設けられていない無線基地局ｅＮＢに対してＲＬＣ-ＰＤＵが届いてしまう可能性を回避しつつ、ＲＬＣレイヤ機能における順序制御処理及び重複破棄制御処理を容易にする。【解決手段】移動通信システムでは、「Ｍａｓｔｅｒ-ＲＬＣレイヤ機能」は、「Ｓｌａｖｅ-ＲＬＣレイヤ機能」に対して、無線基地局ｅＮＢ＃１の識別子及び移動局ＵＥ用のベアラの識別子を通知するように構成されている送信部と、移動局ＵＥ及び「Ｓｌａｖｅ-ＲＬＣレイヤ機能」から受信したＲＬＣ-ＰＤＵに対して順序制御処理及び重複破棄制御処理を行うように構成されている制御部とを具備しており、「Ｓｌａｖｅ-ＲＬＣレイヤ機能」は、移動局ＵＥから受信したＲＬＣ-ＰＤＵを「Ｍａｓｔｅｒ-ＲＬＣレイヤ機能」に対して転送するように構成されている送信部を具備している。【選択図】図１
2014171094.tif 000002
【特許請求の範囲】
【請求項１】
第１無線基地局及び第２無線基地局を具備する移動通信システムであって、
移動局に対して前記第１無線基地局配下のセル及び前記第２無線基地局配下のセルを用いた上りキャリアアグリゲーション用の設定が行われる際に、該第１無線基地局にＭａｓｔｅｒ-ＲＬＣレイヤ機能が設定され、前記第２無線基地局にＳｌａｖｅ-ＲＬＣレイヤ機能が設定されるように構成されており、
前記Ｍａｓｔｅｒ-ＲＬＣレイヤ機能は、
前記Ｓｌａｖｅ-ＲＬＣレイヤ機能に対して、該第１無線基地局の識別子及び該移動局用のベアラの識別子を通知するように構成されている送信部と、
前記移動局及び前記Ｓｌａｖｅ-ＲＬＣレイヤ機能から受信したＲＬＣ-ＰＤＵに対して順序制御処理及び重複破棄制御処理を行うように構成されている制御部とを具備しており、
前記Ｓｌａｖｅ-ＲＬＣレイヤ機能は、
前記移動局から受信したＲＬＣ-ＰＤＵを前記Ｍａｓｔｅｒ-ＲＬＣレイヤ機能に対して転送するように構成されている送信部を具備していることを特徴とする移動通信システム。
【請求項２】
前記Ｍａｓｔｅｒ-ＲＬＣレイヤ機能が設定される無線基地局は、ベアラごとに異なるように構成されていることを特徴とする請求項１に記載の移動通信システム。
【請求項３】
前記Ｍａｓｔｅｒ-ＲＬＣレイヤ機能が設定される無線基地局は、ハンドオーバー手順により変更されるように構成されていることを特徴とする請求項１に記載の移動通信システム。
【請求項４】
前記Ｓｌａｖｅ-ＲＬＣレイヤ機能は、上りリンクデータの送信が行われ得るセルを管理する無線基地局に対してのみ設定されるように構成されていることを特徴とする請求項１又は２に記載の移動通信システム。
【請求項５】
前記Ｍａｓｔｅｒ-ＲＬＣレイヤ機能の送信部は、前記Ｓｌａｖｅ-ＲＬＣレイヤ機能に対して、該Ｓｌａｖｅ-ＲＬＣレイヤ機能から受信したＲＬＣ-ＰＤＵに対する送達確認情報を送信するように構成されていることを特徴とする請求項１乃至４のいずれか一項に記載の移動通信システム。
【請求項６】
前記Ｓｌａｖｅ-ＲＬＣレイヤ機能の送信部は、所定期間、前記Ｍａｓｔｅｒ-ＲＬＣレイヤ機能に対して転送した前記ＲＬＣ-ＰＤＵに対する送達確認ができない場合、該Ｍａｓｔｅｒ-ＲＬＣレイヤ機能に対して該ＲＬＣ-ＰＤＵを再送するように構成されていることを特徴とする請求項１乃至５のいずれか一項に記載の移動通信システム。
【請求項７】
前記Ｍａｓｔｅｒ-ＲＬＣレイヤ機能の送信部は、受信された前記ＲＬＣ-ＰＤＵに抜けが検出された場合、前記移動局及び前記Ｓｌａｖｅ-ＲＬＣレイヤ機能に対して再送要求を送信するように構成されていることを特徴とする請求項１乃至６のいずれか一項に記載の移動通信システム。
【請求項８】
前記Ｍａｓｔｅｒ-ＲＬＣレイヤ機能の送信部は、前記移動局に対して再送要求を送信するタイミング及び前記Ｓｌａｖｅ-ＲＬＣレイヤ機能に対して再送要求を送信するタイミングを個別に設定するように構成されていることを特徴とする請求項７に記載の移動通信システム。
【請求項９】
第１無線基地局及び第２無線基地局を具備する移動通信システムにおいて、移動局に対して該第１無線基地局配下のセル及び該第２無線基地局配下のセルを用いた上りキャリアアグリゲーション用の設定が行われる際に、該第１無線基地局にＭａｓｔｅｒ-ＲＬＣレイヤ機能が設定され、前記第２無線基地局にＳｌａｖｅ-ＲＬＣレイヤ機能が設定される場合に、該第１無線基地局として機能することができる無線基地局であって、
前記Ｓｌａｖｅ-ＲＬＣレイヤ機能に対して、前記無線基地局の識別子及び前記移動局用のベアラの識別子を通知するように構成されている送信部と、
前記移動局及び前記Ｓｌａｖｅ-ＲＬＣレイヤ機能から受信したＲＬＣ-ＰＤＵに対して順序制御処理及び重複破棄制御処理を行うように構成されている制御部とを具備していることを特徴とする無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、図９（ａ）に示すように、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）、すなわち、「Ｉｎｔｒａ-ｅＮＢ  ＣＡ」が導入された。
【０００３】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｅＮＢ  ＣＡ」の導入が検討されている（図９（ｂ）参照）。
【０００４】
例えば、「Ｉｎｔｅｒ-ｅＮＢ  ＣＡ」を用いて、図９（ｂ）に示すように、信頼性の必要なＣ-ｐｌａｎｅ信号については、ＳＲＢ（Ｓｉｇｎａｌｉｎｇ  Ｒａｄｉｏ  Ｂｅａｒｅｒ）を介して無線基地局ｅＮＢ＃１配下のセル＃１（マクロセル）で通信を行い、広帯域通信の必要なＵ-ｐｌａｎｅ信号については、ＤＲＢ（Ｄａｔａ  Ｒａｄｉｏ  Ｂｅａｒｅｒ）を介して無線基地局ｅＮＢ＃１１配下のセル＃１１（スモールセル）で通信を行うといった運用も考えられる。
【先行技術文献】
【非特許文献】
【０００５】
【非特許文献１】３ＧＰＰ  ＴＳ３６.３００
【発明の概要】
【発明が解決しようとする課題】
【０００６】
図１０（ａ）に、「Ｉｎｔｒａ-ｅＮＢ  ＣＡ」を行うために必要なプロコトルスタックについて示す。
【０００７】
ここで、「Ｉｎｔｅｒ-ｅＮＢ  ＣＡ」を行う場合に、図１０（ｂ）に示すように、「Ｉｎｔｒａ-ｅＮＢ  ＣＡ」を行う際と同様に、単一のＲＬＣ（Ｒａｄｉｏ  Ｌｉｎｋ  Ｃｏｎｔｒｏｌ）レイヤ機能を用いると、ＲＬＣレイヤ機能が設けられていない無線基地局ｅＮＢ＃１１に対してＲＬＣ-ＰＤＵが届いてしまう可能性があるという問題点があった。
【０００８】
一方、「Ｉｎｔｅｒ-ｅＮＢ  ＣＡ」を行う場合に、図１０（ｃ）に示すように、セル（ＣＣ）ごとにＲＬＣレイヤ機能を設けた場合、各ＲＬＣレイヤ機能における順序制御処理（Ｒｅｏｒｄｅｒｉｎｇ制御処理）及び重複破棄制御処理が困難になるという問題点があった。
【０００９】
そこで、本発明は、上述の課題に鑑みてなされたものであり、ＲＬＣレイヤ機能が設けられていない無線基地局ｅＮＢに対してＲＬＣ-ＰＤＵが届いてしまう可能性を回避しつつ、ＲＬＣレイヤ機能における順序制御処理及び重複破棄制御処理を容易にすることができる移動通信システム及び無線基地局を提供することを目的とする。
【課題を解決するための手段】
【００１０】
本発明の第１の特徴は、第１無線基地局及び第２無線基地局を具備する移動通信システムであって、移動局に対して前記第１無線基地局配下のセル及び前記第２無線基地局配下のセルを用いた上りキャリアアグリゲーション用の設定が行われる際に、該第１無線基地局にＭａｓｔｅｒ-ＲＬＣレイヤ機能が設定され、前記第２無線基地局にＳｌａｖｅ-ＲＬＣレイヤ機能が設定されるように構成されており、前記Ｍａｓｔｅｒ-ＲＬＣレイヤ機能は、前記Ｓｌａｖｅ-ＲＬＣレイヤ機能に対して、該第１無線基地局の識別子及び該移動局用のベアラの識別子を通知するように構成されている送信部と、前記移動局及び前記Ｓｌａｖｅ-ＲＬＣレイヤ機能から受信したＲＬＣ-ＰＤＵに対して順序制御処理及び重複破棄制御処理を行うように構成されている制御部とを具備しており、前記Ｓｌａｖｅ-ＲＬＣレイヤ機能は、前記移動局から受信したＲＬＣ-ＰＤＵを前記Ｍａｓｔｅｒ-ＲＬＣレイヤ機能に対して転送するように構成されている送信部を具備していることを要旨とする。
【００１１】
本発明の第２の特徴は、第１無線基地局及び第２無線基地局を具備する移動通信システムにおいて、移動局に対して該第１無線基地局配下のセル及び該第２無線基地局配下のセルを用いた上りキャリアアグリゲーション用の設定が行われる際に、該第１無線基地局にＭａｓｔｅｒ-ＲＬＣレイヤ機能が設定され、前記第２無線基地局にＳｌａｖｅ-ＲＬＣレイヤ機能が設定される場合に、該第１無線基地局として機能することができる無線基地局であって、前記Ｓｌａｖｅ-ＲＬＣレイヤ機能に対して、前記無線基地局の識別子及び前記移動局用のベアラの識別子を通知するように構成されている送信部と、前記移動局及び前記Ｓｌａｖｅ-ＲＬＣレイヤ機能から受信したＲＬＣ-ＰＤＵに対して順序制御処理及び重複破棄制御処理を行うように構成されている制御部とを具備していることを要旨とする。
【発明の効果】
【００１２】
以上説明したように、本発明によれば、ＲＬＣレイヤ機能が設けられていない無線基地局ｅＮＢに対してＲＬＣ-ＰＤＵが届いてしまう可能性を回避しつつ、ＲＬＣレイヤ機能における順序制御処理及び重複破棄制御処理を容易にすることができる移動通信システム及び無線基地局を提供することができる。
【図面の簡単な説明】
【００１３】
【図１】本発明の第１の実施形態に係る移動通信システムの全体構成図である。
【図２】本発明の第１の実施形態に係る無線基地局ｅＮＢ＃１の機能ブロック図である。
【図３】本発明の第１の実施形態に係る移動通信システムにおけるＲＬＣ  ｓｔａｔｕｓ  ｒｅｐｏｒｔの送信方法の一例を説明するための図である。
【図４】本発明の第１の実施形態に係る移動通信システムにおけるＲＬＣ  ｓｔａｔｕｓ  ｒｅｐｏｒｔの送信方法の一例を説明するための図である。
【図５】本発明の第１の実施形態に係る無線基地局ｅＮＢ＃１１/＃１２の機能ブロック図である。
【図６】本発明の第１の実施形態に係る無線基地局ｅＮＢの動作を示すフローチャートである。
【図７】本発明の変更例１に係る移動通信システムについて説明するための図である。
【図８】本発明の変更例１に係る移動通信システムについて説明するための図である。
【図９】従来技術を説明するための図である。
【図１０】従来技術を説明するための図である。
【発明を実施するための形態】
【００１４】
（本発明の第１の実施形態に係る移動通信システム）
図１乃至図６を参照して、本発明の第１の実施形態に係る移動通信システムについて説明する。
【００１５】
図１に示すように、本実施形態に係る移動通信システムは、セル＃１（図示せず）を管理する無線基地局ｅＮＢ＃１と、セル＃１１（図示せず）を管理する無線基地局ｅＮＢ＃１１と、セル＃１２（図示せず）を管理する無線基地局ｅＮＢ＃１２とを具備している。
【００１６】
ここで、セル＃１１及びセル＃１２は、スモールセル（ファントムセル）であり、セル＃１は、マクロセルである。なお、セル＃１１及びセル＃１２のカバレッジエリアと、セル＃１のカバレッジエリアとは、少なくとも一部で重なるように配置されている。
【００１７】
なお、無線基地局ｅＮＢ＃１は、マクロ無線基地局（Ｍａｃｒｏ-ｅＮＢ）と呼ばれてもよく、無線基地局ｅＮＢ＃１１/＃１２は、スモール無線基地局（Ｓｍａｌｌ-ｅＮＢ）やファントム無線基地局（Ｐｈａｎｔｏｍ-ｅＮＢ）と呼ばれてもよい。
【００１８】
また、本実施形態に係る移動通信システムは、ＬＴＥ方式の移動通信システムであって、かかる本実施形態に係る移動通信システムにおいて、移動局ＵＥは、「Ｉｎｔｅｒ-ｅＮＢ  ＵＬ  ＣＡ」を行うことができるように構成されている。
【００１９】
すなわち、本実施形態に係る移動通信システムでは、移動局ＵＥに対して無線基地局ｅＮＢ＃１配下のセル＃１及び無線基地局ｅＮＢ＃１１/＃１２配下のセル＃１１/＃１２を用いた「Ｉｎｔｅｒ-ｅＮＢ  ＵＬ  ＣＡ」を行うように設定することができるように構成されている。
【００２０】
本実施形態に係る移動通信システムでは、図１に示すように、移動局ＵＥに対して無線基地局ｅＮＢ＃１配下のセル＃１及び無線基地局ｅＮＢ＃１１/ｅＮＢ＃１２配下のセル＃１１/＃１２を用いた「Ｉｎｔｅｒ-ｅＮＢ  ＵＬ  ＣＡ」用の設定が行われる際に、無線基地局ｅＮＢ＃１に「Ｍａｓｔｅｒ-ＲＬＣレイヤ機能」が設定され、無線基地局ｅＮＢ＃１１/ｅＮＢ＃１２に「Ｓｌａｖｅ-ＲＬＣレイヤ機能」が設定されるように構成されている。
【００２１】
ここで、「Ｍａｓｔｅｒ-ＲＬＣレイヤ機能」が設定された無線基地局ｅＮＢ＃１は、アンカー無線基地局（Ａｎｃｈｏｒ-ｅＮＢ）と呼ばれてもよい。
【００２２】
すなわち、本実施形態に係る移動通信システムでは、ＲＬＣレイヤ機能が、「Ｍａｓｔｅｒ-ＲＬＣレイヤ機能」及び「Ｓｌａｖｅ-ＲＬＣレイヤ機能」として、無線基地局ｅＮＢ＃１及び無線基地局ｅＮＢ＃１１/＃１２に分散されて配置されるように構成されている。
【００２３】
なお、「Ｍａｓｔｅｒ-ＲＬＣレイヤ機能」が設定される無線基地局ｅＮＢは、ベアラごとに異なるように構成されていてもよい。
【００２４】
或いは、「Ｍａｓｔｅｒ-ＲＬＣレイヤ機能」が設定される無線基地局ｅＮＢは、ハンドオーバー手順により変更されるように構成されていてもよい。
【００２５】
さらに、「Ｓｌａｖｅ-ＲＬＣレイヤ機能」は、上りリンクデータの送信が行われ得るセルを管理する無線基地局ｅＮＢに対してのみ設定されるように構成されていてもよい。
【００２６】
すなわち、「Ｓｌａｖｅ-ＲＬＣレイヤ機能」は、「ＤＬ  ｏｎｌｙ  ｃｅｌｌ」のみを管理する無線基地局ｅＮＢに対しては設定されないように構成されていてもよい。
【００２７】
図２に示すように、無線基地局ｅＮＢ＃１は、「Ｍａｓｔｅｒ-ＲＬＣレイヤ機能」として、管理部１１と、受信部１２と、生成部１３と、送信部１４とを具備している。
【００２８】
管理部１１は、上述の移動局ＵＥによる「Ｉｎｔｅｒ-ｅＮＢ  ＵＬ  ＣＡ」で用いられるＲＬＣ-ＳＮ（Ｓｅｑｕｅｎｃｅ  Ｎｕｍｂｅｒ）や、移動局ＵＥ用のベアラの識別子や、無線基地局ｅＮｂ＃１の識別子（例えば、ＴＥ-ＩＤ等）を管理するように構成されている。
【００２９】
受信部１２は、移動局ＵＥ（ＲＬＣレイヤ機能）及び「Ｓｌａｖｅ-ＲＬＣレイヤ機能」（すなわち、「Ｓｌａｖｅ-ＲＬＣレイヤ機能」が設定されている無線基地局ｅＮＢ＃１１/ｅＮＢ＃１２）から、ＲＬＣ-ＰＤＵを受信するように構成されている。
【００３０】
制御部１３は、受信部１２によって受信されたＲＬＣ-ＰＤＵに対して順序制御処理及び重複破棄制御処理を行うように構成されている。
【００３１】
送信部１４は、「Ｓｌａｖｅ-ＲＬＣレイヤ機能」に対して、無線基地局ｅＮＢ＃１の識別子及び移動局ＵＥ用のベアラの識別子を通知するように構成されている。
【００３２】
例えば、上述の「Ｉｎｔｅｒ-ｅＮＢ  ＵＬ  ＣＡ」用の設定が行われる際に、無線基地局ｅＮＢ＃１に対して「Ｍａｓｔｅｒ-ＲＬＣレイヤ機能」が設定された場合に、送信部１４は、「Ｓｌａｖｅ-ＲＬＣレイヤ機能」に対して、無線基地局ｅＮＢ＃１の識別子及び移動局ＵＥ用のベアラの識別子を通知するように構成されていてもよい。
【００３３】
また、送信部１４は、図３に示すように、「Ｓｌａｖｅ-ＲＬＣレイヤ機能」に対して、「Ｓｌａｖｅ-ＲＬＣレイヤ機能」から受信したＲＬＣ-ＰＤＵに対する送達確認情報（ＡＣＫ/ＮＡＣＫ）を送信するように構成されていてもよい。
【００３４】
なお、送信部１４は、「Ｓｌａｖｅ-ＲＬＣレイヤ機能」に対して、「Ｓｌａｖｅ-ＲＬＣレイヤ機能」から受信したＲＬＣ-ＰＤＵに対する送達確認情報（ＡＣＫ/ＮＡＣＫ）の代わりに、「Ｓｌａｖｅ-ＲＬＣレイヤ機能」から受信したＲＬＣ-ＰＤＵに対する「ＲＬＣ  ｓｔａｔｕｓ  ｒｅｐｏｒｔ」を送信するように構成されていてもよい。
【００３５】
或いは、送信部１４は、図４に示すように、移動局ＵＥに対して、移動局ＵＥ及び「Ｓｌａｖｅ-ＲＬＣレイヤ機能」から受信したＲＬＣ-ＰＤＵに対する「ＲＬＣ  ｓｔａｔｕｓ  ｒｅｐｏｒｔ」を送信するように構成されていてもよい。
【００３６】
図５に示すように、無線基地局ｅＮＢ＃１１/＃１２は、「Ｓｌａｖｅｒ-ＲＬＣレイヤ機能」として、受信部２１と、送信部２２とを具備している。
【００３７】
受信部２１は、移動局ＵＥ及び「Ｍａｓｔｅｒ-ＲＬＣレイヤ機能」（すなわち、「Ｍａｓｔｅｒ-ＲＬＣレイヤ機能」が設定されている無線基地局ｅＮＢ＃１）から各種信号を受信するように構成されている。
【００３８】
例えば、受信部２１は、移動局ＵＥからＲＬＣ-ＰＤＵを受信するように構成されている。
【００３９】
また、受信部２１は、「Ｍａｓｔｅｒ-ＲＬＣレイヤ機能」から無線基地局ｅＮＢ＃１の識別子及び移動局ＵＥ用のベアラの識別子を示す通知を受信するように構成されている。
【００４０】
送信部２２は、移動局ＵＥ及び「Ｍａｓｔｅｒ-ＲＬＣレイヤ機能」に対して各種信号を受信するように構成されている。
【００４１】
例えば、送信部２２は、無線基地局ｅＮＢ＃１の識別子及び移動局ＵＥ用のベアラの識別子に基づいて、移動局ＵＥから受信したＲＬＣ-ＰＤＵを「Ｍａｓｔｅｒ-ＲＬＣレイヤ機能」に対して転送するように構成されている。
【００４２】
また、送信部２２は、図３に示すように、「Ｍａｓｔｅｒ-ＲＬＣレイヤ機能」から受信した送達確認情報（ＡＣＫ/ＮＡＣＫ）に応じて、移動局ＵＥから受信したＲＬＣ-ＰＤＵに対する「ＲＬＣ  ｓｔａｔｕｓ  ｒｅｐｏｒｔ」を生成して移動局ＵＥに対して送信するように構成されていてもよい。
【００４３】
或いは、送信部２２は、「Ｍａｓｔｅｒ-ＲＬＣレイヤ機能」から受信した送「ＲＬＣ  ｓｔａｔｕｓ  ｒｅｐｏｒｔ」を移動局ＵＥに対して転送するように構成されていてもよい。
【００４４】
さらに、送信部２２は、所定期間、「Ｍａｓｔｅｒ-ＲＬＣレイヤ機能」に対して転送したＲＬＣ-ＰＤＵに対する送達確認ができない場合、「Ｍａｓｔｅｒ-ＲＬＣレイヤ機能」に対して、かかるＲＬＣ-ＰＤＵを再送するように構成されていてもよい。
【００４５】
以下、図６を参照して、本実施形態に係る移動通信システムの動作について、具体的には、本実施形態に係る無線基地局ｅＮＢのＲＬＣレイヤ機能（「Ｍａｓｔｅｒ-ＲＬＣレイヤ機能」又は「Ｓｌａｖｅ-ＲＬＣレイヤ機能」）の動作について説明する。
【００４６】
図６に示すように、ステップＳ１０１において、無線基地局ｅＮＢは、移動局ＵＥからＲＬＣ-ＰＤＵを受信すると、かかる移動局ＵＥ（ＲＬＣ-ＰＤＵ）用のベアラに対する「Ｍａｓｔｅｒ-ＲＬＣレイヤ機能」が設定されているか否かについて判定する。
【００４７】
「Ｍａｓｔｅｒ-ＲＬＣレイヤ機能」が設定されていると判定された場合、本動作は、ステップＳ１０２に進み、「Ｍａｓｔｅｒ-ＲＬＣレイヤ機能」が設定されていないと判定された場合、本動作は、ステップＳ１０３に進む。
【００４８】
ステップＳ１０２において、無線基地局ｅＮＢは、受信したＲＬＣ-ＰＤＵに対して順序制御処理及び重複破棄制御処理を行う。
【００４９】
一方、ステップＳ１０３において、無線基地局ｅＮＢは、受信したＲＬＣ-ＰＤＵを、「Ｍａｓｔｅｒ-ＲＬＣレイヤ機能」が設定されている無線基地局ｅＮＢ（本実施形態では、無線基地局ｅＮＢ＃１）に対して転送する。
【００５０】
（変更例１）
以下、図７及び図８を参照して、本発明の変更例１に係る移動通信システムについて、上述の第１の実施形態に係る移動通信システムとの相違点に着目して説明する。
【００５１】
本変更例１に係る移動通信システムでは、「Ｍａｓｔｅｒ-ＲＬＣレイヤ機能」の送信部１４は、移動局ＵＥから受信したＲＬＣ-ＰＤＵに抜けが検出された場合、所定期間（ｔ-ｏｒｄｅｒｉｎｇタイマ）経過後に、移動局ＵＥに対して再送要求を送信するように構成されている。
【００５２】
また、「Ｍａｓｔｅｒ-ＲＬＣレイヤ機能」の送信部１４は、「Ｓｌａｖｅ-ＲＬＣレイヤ機能」から受信したＲＬＣ-ＰＤＵに抜けが検出された場合、所定期間（ｔ-ｏｒｄｅｒｉｎｇタイマ）経過後に、「Ｓｌａｖｅ-ＲＬＣレイヤ機能」に対して再送要求を送信するように構成されている。
【００５３】
かかる場合、図７に示すように、「Ｓｌａｖｅ-ＲＬＣレイヤ機能」に再送すべきＲＬＣ-ＰＤＵが残っている場合、「Ｍａｓｔｅｒ-ＲＬＣレイヤ機能」の受信部１２は、移動局ＵＥ及び「Ｓｌａｖｅ-ＲＬＣレイヤ機能」の両方から再送されたＲＬＣ-ＰＤＵを受信してしまうことになり、無線リソース及び伝送路氏ソースの浪費となる。
【００５４】
したがって、本変更例１に係る移動通信システムでは、図８に示すように、「Ｍａｓｔｅｒ-ＲＬＣレイヤ機能」の送信部１４は、移動局ＵＥに対して再送要求を送信するタイミング及び「Ｓｌａｖｅ-ＲＬＣレイヤ機能」に対して再送要求を送信するタイミングを個別に設定するように構成されていてもよい。
【００５５】
具体的には、「Ｍａｓｔｅｒ-ＲＬＣレイヤ機能」の送信部１４は、移動局ＵＥ用のｔ-ｏｒｄｅｒｉｎｇタイマ及び「Ｓｌａｖｅ-ＲＬＣレイヤ機能」用のｔ-ｏｒｄｅｒｉｎｇタイマを別々に設けるように構成されている。
【００５６】
以上に述べた本実施形態の特徴は、以下のように表現されていてもよい。
【００５７】
本実施形態の第１の特徴は、無線基地局ｅＮＢ＃１（第１無線基地局）及び無線基地局ｅＮＢ＃１１/ｅＮＢ＃１２（第２無線基地局）を具備する移動通信システムであって、移動局ＵＥに対して無線基地局ｅＮＢ＃１配下のセル及び無線基地局ｅＮＢ＃１１/ｅＮＢ＃１２配下のセルを用いた上りキャリアアグリゲーション（「Ｉｎｔｅｒ-ｅＮＢ  ＵＬ  ＣＡ」）用の設定が行われる際に、無線基地局ｅＮＢ＃１に「Ｍａｓｔｅｒ-ＲＬＣレイヤ機能」が設定され、無線基地局ｅＮＢ＃１１/ｅＮＢ＃１２に「Ｓｌａｖｅ-ＲＬＣレイヤ機能」が設定されるように構成されており、「Ｍａｓｔｅｒ-ＲＬＣレイヤ機能」は、「Ｓｌａｖｅ-ＲＬＣレイヤ機能」に対して、無線基地局ｅＮＢ＃１の識別子及び移動局ＵＥ用のベアラの識別子を通知するように構成されている送信部１４と、移動局ＵＥ及び「Ｓｌａｖｅ-ＲＬＣレイヤ機能」から受信したＲＬＣ-ＰＤＵに対して順序制御処理及び重複破棄制御処理を行うように構成されている制御部１３とを具備しており、「Ｓｌａｖｅ-ＲＬＣレイヤ機能」は、移動局ＵＥから受信したＲＬＣ-ＰＤＵを「Ｍａｓｔｅｒ-ＲＬＣレイヤ機能」に対して転送するように構成されている送信部２２を具備していることを要旨とする。
【００５８】
かかる特徴によれば、「Ｍａｓｔｅｒ-ＲＬＣレイヤ機能」が設定されている無線基地局ｅＮＢ＃１に対してＲＬＣ-ＰＤＵを届けることができ、無線基地局ｅＮＢ＃１に設定されている「Ｍａｓｔｅｒ-ＲＬＣレイヤ機能」において、かかるＲＬＣ-ＰＤＵに対して順序制御処理及び重複破棄制御処理を行うことができる。
【００５９】
本実施形態の第１の特徴において、「Ｍａｓｔｅｒ-ＲＬＣレイヤ機能」が設定される無線基地局ｅＮＢは、ベアラごとに異なるように構成されていてもよい。
【００６０】
本実施形態の第１の特徴において、「Ｍａｓｔｅｒ-ＲＬＣレイヤ機能」が設定される無線基地局ｅＮＢは、ハンドオーバー手順により変更されるように構成されていてもよい。
【００６１】
かかる特徴によれば、各無線基地局ｅＮＢの能力や処理状況に応じて、「Ｍａｓｔｅｒ-ＲＬＣレイヤ機能」を設定する無線基地局ｅＮＢを柔軟に決定することができる。
【００６２】
本実施形態の第１の特徴において、「Ｓｌａｖｅ-ＲＬＣレイヤ機能」は、上りリンクデータの送信が行われ得るセルを管理する無線基地局ｅＮＢに対してのみ設定されるように構成されていてもよい。
【００６３】
かかる特徴によれば、「ＤＬ  ｏｎｌｙ  ｃｅｌｌ」のみを管理する無線基地局ｅＮＢに対しては「Ｓｌａｖｅ-ＲＬＣレイヤ機能」を設定しないため、かかる無線基地局ｅＮＢのリソースを有効に活用することができる。
【００６４】
本実施形態の第１の特徴において、「Ｍａｓｔｅｒ-ＲＬＣレイヤ機能」の送信部１４は、「Ｓｌａｖｅ-ＲＬＣレイヤ機能」に対して、「Ｓｌａｖｅ-ＲＬＣレイヤ機能」から受信したＲＬＣ-ＰＤＵに対する送達確認情報を送信するように構成されていてもよい。
【００６５】
かかる特徴によれば、「Ｓｌａｖｅ-ＲＬＣレイヤ機能」が設定されている無線基地局ｅＮＢ＃１１/＃１２配下のセル＃１１/＃１２における無線品質が良い場合に、かかるセル＃１１/＃１２において「ＲＬＣ  ｓｔａｔｕｓ  ｒｅｐｏｒｔ」を送信することで、より確実に、移動局ＵＥに対して「ＲＬＣ  ｓｔａｔｕｓ  ｒｅｐｏｒｔ」を届けることができる。
【００６６】
本実施形態の第１の特徴において、「Ｓｌａｖｅ-ＲＬＣレイヤ機能」の送信部２２は、所定期間、「Ｍａｓｔｅｒ-ＲＬＣレイヤ機能」に対して転送したＲＬＣ-ＰＤＵに対する送達確認ができない場合、「Ｍａｓｔｅｒ-ＲＬＣレイヤ機能」に対して、かかるＲＬＣ-ＰＤＵを再送するように構成されていてもよい。
【００６７】
かかる特徴によれば、「Ｓｌａｖｅ-ＲＬＣレイヤ機能」が設定されている無線基地局ｅＮＢ＃１１/＃１２と「Ｍａｓｔｅｒ-ＲＬＣレイヤ機能」が設定されている無線基地局ｅＮＢ＃１との間におけるパケットロスを救うことができる。
【００６８】
本実施形態の第１の特徴において、「Ｍａｓｔｅｒ-ＲＬＣレイヤ機能」の送信部１４は、受信されたＲＬＣ-ＰＤＵに抜けが検出された場合、移動局ＵＥ及び「Ｓｌａｖｅ-ＲＬＣレイヤ機能」に対して再送要求を送信するように構成されていてもよい。
【００６９】
かかる特徴によれば、移動局ＵＥから受信したＲＬＣ-ＰＤＵに抜けが検出されたケース、及び、「Ｓｌａｖｅ-ＲＬＣレイヤ機能」から受信したＲＬＣ-ＰＤＵに抜けが検出されたケースの双方を救うことができる。
【００７０】
本実施形態の第１の特徴において、「Ｍａｓｔｅｒ-ＲＬＣレイヤ機能」の送信部１４は、移動局ＵＥに対して再送要求を送信するタイミング及び「Ｓｌａｖｅ-ＲＬＣレイヤ機能」に対して再送要求を送信するタイミングを個別に設定するように構成されていてもよい。
【００７１】
かかる特徴によれば、「Ｍａｓｔｅｒ-ＲＬＣレイヤ機能」が、受信されたＲＬＣ-ＰＤＵに抜けを検出し、移動局ＵＥ及び「Ｓｌａｖｅ-ＲＬＣレイヤ機能」に対して再送要求を送信した場合で、かつ、「Ｓｌａｖｅ-ＲＬＣレイヤ機能」に再送すべきＲＬＣ-ＰＤＵが残っている場合であっても、「Ｍａｓｔｅｒ-ＲＬＣレイヤ機能」が、移動局ＵＥ及び「Ｓｌａｖｅ-ＲＬＣレイヤ機能」の両方から再送されたＲＬＣ-ＰＤＵを受信してしまい、無線リソース及び伝送路リソースの浪費となるという問題点を解消することができる。
【００７２】
本実施形態の第２の特徴は、無線基地局ｅＮＢ＃１及び無線基地局ｅＮＢ＃１１/ｅＮＢ＃１２を具備する移動通信システムにおいて、移動局ＵＥに対して無線基地局ｅＮＢ＃１配下のセル及び無線基地局ｅＮＢ＃１１/ｅＮＢ＃１２配下のセルを用いた「Ｉｎｔｅｒ-ｅＮＢ  ＵＬ  ＣＡ」用の設定が行われる際に、無線基地局ｅＮＢ＃１に「Ｍａｓｔｅｒ-ＲＬＣレイヤ機能」が設定され、無線基地局ｅＮＢ＃１１/ｅＮＢ＃１２に「Ｓｌａｖｅ-ＲＬＣレイヤ機能」が設定される場合に、無線基地局ｅＮＢ＃１として機能することができる無線基地局ｅＮＢであって、「Ｓｌａｖｅ-ＲＬＣレイヤ機能」に対して、無線基地局ｅＮＢの識別子及び移動局ＵＥ用のベアラの識別子を通知するように構成されている送信部１４と、移動局ＵＥ及び「Ｓｌａｖｅ-ＲＬＣレイヤ機能」から受信したＲＬＣ-ＰＤＵに対して順序制御処理及び重複破棄制御処理を行うように構成されている制御部１３とを具備していることを要旨とする。
【００７３】
なお、上述の移動局ＵＥや無線基地局ｅＮＢ＃１/ｅＮＢ＃１１/ｅＮＢ＃１２の動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１１/ｅＮＢ＃１２内に設けられていてもよい。また、かかる記憶媒体及びプロセッサは、ディスクリートコンポーネントとして移動局ＵＥや無線基地局ｅＮＢ＃１/ｅＮＢ＃１１/ｅＮＢ＃１２内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
ｅＮＢ＃１、ｅＮＢ＃１１、ｅＮＢ＃１２…無線基地局
ＵＥ…移動局
１１…管理部
１２、２１…受信部
１３…制御部
１４、２２…送信部
【図１】
2014171094.tif 000003
【図２】
2014171094.tif 000004
【図３】
2014171094.tif 000005
【図４】
2014171094.tif 000006
【図５】
2014171094.tif 000007
【図６】
2014171094.tif 000008
【図７】
2014171094.tif 000009
【図８】
2014171094.tif 000010
【図９】
2014171094.tif 000011
【図１０】
2014171094.tif 000012